(57)【要約】      （修正有）【課題】タイツ、レギンス、スパッツ等のウエスト部における締め付け感を殆ど感じさせないようなウエスト部の構造を提供する。【解決手段】ウエスト部、パンティ部およびレッグ部を有する編物からなる下衣において、前記ウエスト部の編地が一重で、その縦方向の幅が８ｃｍ以上であり、該ウエスト部は弾力性がない糸Ｙ１と弾力性を有する糸Ｙ２で編成されている。弾力性を有する糸Ｙ２はコース方向Ｃにおいて編目と浮き編を交互に繰り返して編成されている。【選択図】図２
0003164218.tif 000002
【実用新案登録請求の範囲】
【請求項１】
ウエスト部、パンティ部およびレッグ部を有する編物からなる下衣において、前記ウエスト部の編地が一重で、その縦方向の幅が８ｃｍ以上であり、該ウエスト部は弾力性を有する糸と弾力性がない糸とで編成されていることを特徴とするウエスト部の構造。
【請求項２】
前記弾力性を有する糸はコース方向において編目と浮き編とが１〜４ウェール毎に交互に繰り返して編成されていることを特徴とする請求項１記載のウエスト部の構造。
【請求項３】
前記弾力性がない糸が捲縮加工糸であること特徴とする請求項１または請求項２記載のウエスト部の構造。
【請求項４】
ウエスト部がリブ編みまたはリブ編み風であることを特徴とする請求項１〜３の何れか１項に記載のウエスト部の構造。
【考案の詳細な説明】
【技術分野】
【０００１】
本考案はパンティ部とレッグ部を有する、タイツ、レギンス、スパッツ等の下衣のウエスト部の構造に関するものである。
【背景技術】
【０００２】
従来、パンティ部を有するタイツ等は、特開平８−３８０１号公報（特許文献１）に開示されているように、パンティストッキングと同様に、丸編み靴下機で編成された２本の長いストッキング状物の上部にそれぞれ切れ目を入れて、２本のストッキング状物の切れ目を互いに縫合することより製造することが一般的である。このようなタイツやパンティ・ストッキングにおけるウエスト部は、ダブル・ウェルトにより二重編（すなわち、袋状になっている）にされている。
【０００３】
タイツ等のパンティ部のズレ落ち防止のために、袋状のウエスト部にゴム紐を挿通しているものが多いが、特開平８−３８０１号公報（特許文献１）に開示されているように、ウエスト部の編成時にゴム糸やポリウレタン弾性糸を編込んでいるものもある。
【０００４】
特開平９−３１７０８号公報（特許文献２）の図３にはスパッツのウエスト部の構造が複数例示されている。すなわち、スパッツ本体とは別の伸縮性バンドを縫着してウエスト部とするもの、スパッツ本体の上端部を内側に折返して袋状とし、その内部にゴム紐を通すもの、スパッツ本体の上端部を弾性糸により編成して、これを内側に折返して袋状とするもの、およびダブル・ウェルトにより二重編で袋状とするものが例示されている。
【０００５】
また、特開２００７−１５４３９１号公報（特許文献３）には、４コースを１サイクルとしてウエスト部を編成し、この４コースに供給される４本の糸のうち２本または３本を紡糸されたままの、加工していない、なま糸（生糸）とし、残りをカバリング糸とし、４コースのうち３コースをプレーン編、１コースをタック編としているパンティストッキングが開示されている。
【先行技術文献】
【特許文献】
【０００６】
【特許文献１】特開平８−３８０１号公報
【特許文献２】特開平９−３１７０８号公報
【特許文献３】特開２００７−１５４３９１号公報
【考案の概要】
【考案が解決しようとする課題】
【０００７】
従来の市販されているタイツやパンティストッキングでは、ウエスト部はその幅が１．５〜３．０ｃｍであり、特許文献１や特許文献２に開示されているように、ウエスト部にゴム紐を挿通したり、袋状のウエスト部、すなわち二重となっているウエスト部に弾性糸を編込んでいる。このような従来のウエスト部は、人体のウエスト部に対して接地面積が狭いため、締め付けがきつくなり、着用者によっては、着用感が悪く、着用者によってはお腹にウエスト部の痕跡が付くことがある。特に、妊婦用タイツはウエスト部も弛めに製作されているが、それでも締め付け感があり、窮屈であるとの指摘が着用者からなされている。
【０００８】
特許文献３のパンティストッキングでは、ウエスト部にポリウレタン弾性糸のベア糸（カバー糸で覆われていない裸糸）およびウーリーナイロン糸（捲縮加工糸）を使用せずに、なま糸とカバリング糸によりプレーン編とタック編で編成して地薄で透明感のあるものとし、ウエスト部の幅をやや広く４．０〜６．５ｃｍとしている。パンティストッキングは、タイツ等に比較して編糸が細いので、特許文献３のような工夫により従来のパンティストッキングより窮屈感を和らげることが可能である。しかし、タイツ、レギンス、スパッツ等には糸使い等の観点から適用できない。
【０００９】
本考案は、タイツ、レギンス、スパッツ等のウエスト部における締め付け感を殆ど感じさせないようなウエスト部の構造を提供することを目的とする。
【課題を解決するための手段】
【００１０】
本考案は、ウエスト部、パンティ部およびレッグ部を有する編物からなる下衣において、前記ウエスト部の編地が一重で、その縦方向の幅が８ｃｍ以上であり、該ウエスト部は弾力性を有する糸と弾力性がない糸とで編成されていることを特徴とするウエスト部の構造により、前記目的を達成する。
【００１１】
この場合、弾力性を有する糸はコース方向において編目と浮き編とが１〜４ウェール毎に交互に繰り返して編成されていることが好ましい。弾力性がない糸が捲縮加工糸であることが好ましい。また、ウエスト部をリブ編みまたはリブ編み風とすることが好ましい。
【考案の効果】
【００１２】
本考案によれば、ウエスト部を捲縮加工糸と弾力性のある糸で編成した一重の構造とし、しかもその縦方向の幅を８ｃｍ以上、好ましくは１０ｃｍ程度、としたことにより、肌に当たる接地面積が広くなり、圧迫される力を分散することができる。そのため、着用者に締め付け感を感じさせない。
【００１３】
本考案で弾力性がない糸として捲縮加工糸を使用した場合は、肌当たりがよく、締め付け感を和らげる。
【００１４】
また、本考案によれば、弾力性のある糸を編成する際に、コース方向において編目と浮き編とを１〜４ウェール毎に交互に繰り返して編成されているので、糸の弾力性を有効に利用でき、伸縮しやすい編組織になっており、より一層、締め付け感を低減することができる。
【００１５】
また、本考案によればウエスト部がリブ編みまたはリブ編み風であるので、胴回り方向の伸縮性が大きいので、縦方向の幅が広くても、着用者に窮屈感を与えない。
【図面の簡単な説明】
【００１６】
【図１】本考案のウエスト部構造を有するタイツの一実施例を示す正面図である。
【図２】本考案のウエスト部構造における編地の一実施例を示す編組織図である。
【図３】図２に示した編組織を編成する際の編成図である。
【図４】本考案のウエスト部構造における編地の別の実施例を示す編組織図である。
【図５】図４に示した編組織を編成する際の編成図である。
【考案を実施するための形態】
【００１７】
以下、本考案のタイツ等のウエスト部の構造を図面に示した実施例に基いて詳細に説明する。
【００１８】
図１は本考案のウエスト部構造を有するタイツの一実施例を示しており、パンティ部１の上側にウエスト部２があり、下側にレッグ部３とそれに続くソックス部４がある。なお、図示した実施例ではソックス部４が設けられているが、ソックス部４が存在しなくてもよい。
【００１９】
図示したタイツを製造するには、丸編み靴下機で２本の長いストッキング状物を編成する。この場合、ウエスト部２から編始め、パンティ部１、レッグ部３そしてソックス部４と連続して編成する。そして、２本の対の長いストッキング状物の上部に切り込みを入れて、切り込み部分を互いに縫合すると、左右のウエスト部２および左右のパンティ部１が縫合わされた状態となる。縫い目５は前側のウエスト部２の上端からパンティ部１の前中心、股下を通り、後中心から後側のウエスト部２の上端まで伸びている。
【００２０】
本考案のウエスト部２は従来のタイツと異なって一重であり、ウエスト部２を８ｃｍ以上、好ましくは１０ｃｍ程度まで編成した後、パンティ部１の編成を行う。ウエスト部２の編成に使用する編糸は、弾力性を有する糸と弾力性がない糸とである。
【００２１】
本考案の弾力性を有する糸としては、ポリウレタン弾性繊維を芯糸としたカバリング糸、ポリウレタン弾性糸のベア糸、ゴム糸等の従来から編物に使用されているものが利用できる。
【００２２】
弾力性がない糸は、弾性糸を使用していない糸のことであり、捲縮加工糸（例えば、ウーリーナイロン糸）、合成繊維糸、混紡糸等の従来から編物に使用されているものが利用できる。
【００２３】
ウエスト部２においては、弾力性がない糸は平編目で編成され、弾力性を有する糸はコース方向Ｃにおいて編目と浮き編が１〜４ウェール毎に交互に繰り返して編成される。
【００２４】
図２は本考案のウエスト部構造における編地の一実施例を示す編組織図であり、太い線で示した編目は捲縮加工糸Ｙ１で編まれ、細い線で示した編目は弾力性を有する糸Ｙ２で編まれる。なお、図２における線の太さは編み糸の太さを意味するものではない。
【００２５】
図３は上下にシリンダを有するリブニッタ（上下に配置された同直径の２つのニードルシリンダと両頭針を用いてリブ組織を作るくつ下編み機）でウエスト部２を編成する場合の編成図を示している。◎印は上ニードルシリンダでニット（編針が動作して編目を形成）すること、〇印は下ニードルシリンダでニットすること、×印は編針に編糸が掛けられず、編針は不作動であること（すなわちニットしない）をそれぞれ表わしている。上下のニードルシリンダで編成されたそれぞれの編目は表目と裏目の関係になる。図２および図３に示した実施例では上ニードルシリンダでニットした編目は裏目で、下ニードルシリンダでニットした編目は表目で表わされている。
【００２６】
図３に示した実施例では、１コース目では１番目の編針では上ニードルシリンダでニットされ、２番目の編針ではニットされず、浮き編となり、３番目の編針では上ニードルシリンダでニットされ、４番目の編針ではニットされず、浮き編となる。このように１コース目では弾力性を有する糸Ｙ２は１ウェール毎に平編目（図２では裏目）と浮き編とが交互に繰り返される。
【００２７】
２コース目では捲縮加工糸Ｙ１が下ニードルシリンダおよび上ニードルシリンダでニットされ、表目と裏目が交互に編成される。
【００２８】
３コース目では弾力性を有する糸Ｙ２が１コース目と同様に編成される。
【００２９】
４コース目では捲縮加工糸Ｙ１が２コース目と同様に編成される。
【００３０】
このようなコース編成が繰り返し行われ、弾力性を有する糸Ｙ２と捲縮加工糸Ｙ１とによりリブ編みが編成され、そしてリブ編みにおいて弾力性を有する糸Ｙ２はコース方向Ｃにおいて編目と浮き編とが繰り返されている。
【００３１】
図４は本考案のウエスト部構造における編地の別の実施例を示す編組織図であり、図５はシングルシリンダで図４の編組織を編成する場合の編成図を示している。図４および図５に示した実施例においても、前述した実施例と同様に、弾力性を有する糸Ｙ２で編成するコースには浮き編と平編目が交互している。
【００３２】
図４および図５に示した実施例では、捲縮加工糸Ｙ１と弾力性を有する糸Ｙ２とが１コース毎に交互に編成されている。捲縮加工糸Ｙ１は全て平編目で編成され、弾力性を有する糸Ｙ２は平編目（表目）と浮き編が１針づつ交互している、すなわち１つ飛ばしの編針で編目が形成されている。このような編組織はリブ編み風の外観を呈する。
【００３３】
なお、図２〜図５に示した実施例では、弾力性を有する糸Ｙ２で編まれる編目は、平編目と浮き編が１針（１ウェール）づつ交互しているが、２〜４針分（すなわち２〜４ウェール）平編目とし、２〜４針分（すなわち２〜４ウェール）浮き編として、平編目と浮き編が交互するようにしてもよい。
【符号の説明】
【００３４】
１  パンティ部
２  ウエスト部
３  レッグ部
５  縫い目
Ｙ１  捲縮加工糸
Ｙ２  弾力性を有する糸
【図１】
0003164218.tif 000003
【図２】
0003164218.tif 000004
【図３】
0003164218.tif 000005
【図４】
0003164218.tif 000006
【図５】
0003164218.tif 000007